(57)【要約】【課題】貨幣の装填について使い勝手の向上を図れる貨幣処理装置および貨幣処理システムを提供する。【解決手段】貨幣処理装置２は、包装硬貨Ｋを金種別に収納する複数の金種別収納部７３と、制御部１７とを含む。金種別収納部７３は、複数のグループのいずれかにグループ分けされ、金種別収納部７３への包装硬貨Ｋの装填がグループ毎に許容または禁止される。制御部１７は、金種別収納部７３への包装硬貨Ｋの装填指示を受け付けると、複数のグループのうち、包装硬貨Ｋの装填対象となるグループを選定する。制御部１７は、選定したグループに属する金種別収納部７３への包装硬貨Ｋの装填を許容する。【選択図】図６
2019079416.tif 000002
【特許請求の範囲】
【請求項１】
貨幣を金種別に収納する複数の金種別収納部であって、複数のグループのいずれかにグループ分けされ、前記金種別収納部への貨幣の装填がグループ毎に許容または禁止される複数の金種別収納部と、
前記金種別収納部への貨幣の装填指示を受け付ける受付手段と、
前記受付手段が前記装填指示を受け付けると、前記複数のグループのうち、貨幣の装填対象となるグループを選定する選定手段と、
前記選定手段によって選定されたグループに属する前記金種別収納部への貨幣の装填を許容する許容手段とを含む、貨幣処理装置。
【請求項２】
前記受付手段が、前記装填指示を受け付けるとともに、装填する貨幣の金種情報も受け付けると、前記選定手段は、前記複数のグループのうち、前記金種情報の金種と同じ金種の貨幣を収納対象とするグループの中から、貨幣の装填対象となるグループを選定する、請求項１に記載の貨幣処理装置。
【請求項３】
前記選定手段によって選定されたグループに属する前記金種別収納部への貨幣の装填が許容されている状態において、前記選定手段が選定したグループとは別のグループに属する前記金種別収納部を用いて出金および入金の少なくともいずれかの取引を行う取引手段を含む、請求項１または２に記載の貨幣処理装置。
【請求項４】
前記選定手段によって選定されるグループは、前記取引に用いられている前記金種別収納部が属するグループとは別のグループである、請求項３に記載の貨幣処理装置。
【請求項５】
前記選定手段によって選定されるグループは、貨幣の収納量が他のグループよりも少ないグループ、収納された貨幣の合計金額が他のグループよりも少ないグループ、および、貨幣の収納量が所定値を下回った前記金種別収納部の数が他のグループよりも多いグループの少なくともいずれかのグループである、請求項１〜４のいずれか一項に記載の貨幣処理装置。
【請求項６】
前記選定手段によって選定されるグループの優先順位を設定する設定手段を含む、請求項５に記載の貨幣処理装置。
【請求項７】
前記選定手段は、貨幣の収納状態が同じ複数のグループのうち、予め定めたグループを選定する、請求項５または６に記載の貨幣処理装置。
【請求項８】
前記複数の金種別収納部を支持する装置本体を含み、
前記複数の金種別収納部は、前記装置本体に対して着脱可能であり、前記装置本体からの前記金種別収納部の離脱がグループ毎に許容または禁止され、
前記許容手段は、前記選定手段によって選定されたグループに属する前記金種別収納部が前記装置本体から離脱することを許容する、請求項１〜７のいずれか一項に記載の貨幣処理装置。
【請求項９】
前記複数の金種別収納部は、グループ毎にまとまって配置され、
グループ毎に設けられた開閉部であって、対応するグループに属する前記金種別収納部を遮蔽する閉位置と当該金種別収納部を開放する開位置との間において開閉可能な開閉部と、
前記開閉部を前記閉位置にてロックするロック手段とを含み、
前記許容手段は、前記選定手段によって選定されたグループに対応する前記開閉部についての前記ロック手段によるロックを解除する、請求項１〜８のいずれか一項に記載の貨幣処理装置。
【請求項１０】
前記選定手段によって選定されたグループについての情報を報知する報知手段を含む、請求項１〜９のいずれか一項に記載の貨幣処理装置。
【請求項１１】
貨幣を金種別に収納する複数の金種別収納部であって、複数のグループのいずれかにグループ分けされ、前記金種別収納部への貨幣の装填がグループ毎に許容または禁止される複数の金種別収納部を含む貨幣処理装置と、
前記金種別収納部への貨幣の装填指示を受け付ける受付手段と、
前記受付手段が前記装填指示を受け付けると、前記複数のグループのうち、貨幣の装填対象となるグループを選定する選定手段と、
前記選定手段によって選定されたグループに属する前記金種別収納部への貨幣の装填を許容する許容手段とを含む、貨幣処理システム。
【発明の詳細な説明】
【技術分野】
【０００１】
この発明は、貨幣処理装置および貨幣処理システムに関する。
【背景技術】
【０００２】
下記特許文献１の自動両替装置は、一定枚数の硬貨を重ねて包装した包装硬貨を処理する包装硬貨処理部を含む。包装硬貨処理部は、ワゴン部とフィーダ部とを含む。ワゴン部は、複数の金種別トレイを含む。各金種別トレイには、包装硬貨が金種別に保管される。金種別トレイは、上下に重ねられてレーンを構成し、２列のレーンが左右に並んでいる。フィーダ部は、自動両替装置の取引時において、各金種別トレイから包装硬貨を受け取り、包装硬貨取出口まで搬送する。
【０００３】
各金種別トレイへの包装硬貨の補充のために、保守要員が自動両替機の背面扉を開くと、包装硬貨処理部および係員パネル部が露出される。自動両替装置では、レーン補充モードと、金種単位補充モードと、エンドトレイ単位補充モードとによる包装硬貨の補充が可能である。保守要員は、係員パネル部を操作することによって、これらの補充モードにおけるいずれかを選択することができる。
【０００４】
レーン補充モードの場合、保守要員が選択したいずれか１つのレーンにおける全ての金種別トレイについての引出禁止が解除されるので、保守要員は、当該金種別トレイを引き出して包装硬貨を装填することができる。この補充作業中において、当該レーンにおける全ての金種別トレイが取引運用から除外される。
【０００５】
金種単位補充モードの場合、左右のレーンに関わらず、保守要員が選択した金種の包装硬貨を保管対象とする全ての金種別トレイについての引出禁止が解除されるので、保守要員は、当該金種別トレイを引き出して包装硬貨を装填することができる。この補充作業中において、左右のレーンにおける当該金種別トレイが取引運用から除外される。
【０００６】
エンドトレイ単位補充モードの場合、左右のレーンに関わらず、包装硬貨の保管本数が所定値を下回った全ての金種別トレイについての引出禁止が解除されるので、保守要員は、当該金種別トレイを引き出して包装硬貨を装填することができる。この補充作業中において、左右のレーンにおける当該金種別トレイが取引運用から除外される。
【先行技術文献】
【特許文献】
【０００７】
【特許文献１】特許第５７１２１１１号公報
【発明の概要】
【発明が解決しようとする課題】
【０００８】
特許文献１の自動両替装置において、レーン補充モードの場合には、保守要員は、補充対象のレーンとして左右のレーンのどちらかを選択する必要があり、どちらのレーンを選択すべきか悩むことが想定される。包装硬貨の在庫の少ないレーンを選択しなかった場合には、補充作業中において、当該レーンにおける金種別トレイの包装硬貨によって取引運用が継続されるので、保守要員は、当該レーンにおける在庫切れを心配しながら、補充作業を行う必要がある。金種単位補充モードの場合には、補充作業中において、保守要員が補充対象として選択した金種についての取引運用ができなくなる。エンドトレイ単位補充モードの場合には、所定値を下回っていない金種別トレイの引出禁止が解除されないので、当該金種別トレイへの包装硬貨の補充ができない。
【０００９】
この発明は、かかる背景のもとにおいてなされたものであり、貨幣の装填について使い勝手の向上を図れる貨幣処理装置および貨幣処理システムを提供することを目的とする。
【課題を解決するための手段】
【００１０】
本発明は、貨幣を金種別に収納する複数の金種別収納部であって、複数のグループのいずれかにグループ分けされ、前記金種別収納部への貨幣の装填がグループ毎に許容または禁止される複数の金種別収納部と、前記金種別収納部への貨幣の装填指示を受け付ける受付手段と、前記受付手段が前記装填指示を受け付けると、前記複数のグループのうち、貨幣の装填対象となるグループを選定する選定手段と、前記選定手段によって選定されたグループに属する前記金種別収納部への貨幣の装填を許容する許容手段とを含む、貨幣処理装置である。
【００１１】
また、本発明は、前記受付手段が、前記装填指示を受け付けるとともに、装填する貨幣の金種情報も受け付けると、前記選定手段が、前記複数のグループのうち、前記金種情報の金種と同じ金種の貨幣を収納対象とするグループの中から、貨幣の装填対象となるグループを選定することを特徴とする。
【００１２】
また、本発明は、前記貨幣処理装置が、前記選定手段によって選定されたグループに属する前記金種別収納部への貨幣の装填が許容されている状態において、前記選定手段が選定したグループとは別のグループに属する前記金種別収納部を用いて出金および入金の少なくともいずれかの取引を行う取引手段を含むことを特徴とする。
【００１３】
また、本発明は、前記選定手段によって選定されるグループが、前記取引に用いられている前記金種別収納部が属するグループとは別のグループであることを特徴とする。
【００１４】
また、本発明は、前記選定手段によって選定されるグループが、貨幣の収納量が他のグループよりも少ないグループ、収納された貨幣の合計金額が他のグループよりも少ないグループ、および、貨幣の収納量が所定値を下回った前記金種別収納部の数が他のグループよりも多いグループの少なくともいずれかのグループであることを特徴とする。
【００１５】
また、本発明は、前記貨幣処理装置が、前記選定手段によって選定されるグループの優先順位を設定する設定手段を含むことを特徴とする。
【００１６】
また、本発明は、前記選定手段が、貨幣の収納状態が同じ複数のグループのうち、予め定めたグループを選定することを特徴とする。
【００１７】
また、本発明は、前記貨幣処理装置が、前記複数の金種別収納部を支持する装置本体を含み、前記複数の金種別収納部が、前記装置本体に対して着脱可能であり、前記装置本体からの前記金種別収納部の離脱がグループ毎に許容または禁止され、前記許容手段が、前記選定手段によって選定されたグループに属する前記金種別収納部が前記装置本体から離脱することを許容することを特徴とする。
【００１８】
また、本発明は、前記複数の金種別収納部が、グループ毎にまとまって配置され、前記貨幣処理装置が、グループ毎に設けられた開閉部であって、対応するグループに属する前記金種別収納部を遮蔽する閉位置と当該金種別収納部を開放する開位置との間において開閉可能な開閉部と、前記開閉部を前記閉位置にてロックするロック手段とを含み、前記許容手段が、前記選定手段によって選定されたグループに対応する前記開閉部についての前記ロック手段によるロックを解除することを特徴とする。
【００１９】
また、本発明は、前記貨幣処理装置が、前記選定手段によって選定されたグループについての情報を報知する報知手段を含むことを特徴とする。
【００２０】
また、本発明は、貨幣を金種別に収納する複数の金種別収納部であって、複数のグループのいずれかにグループ分けされ、前記金種別収納部への貨幣の装填がグループ毎に許容または禁止される複数の金種別収納部を含む貨幣処理装置と、前記金種別収納部への貨幣の装填指示を受け付ける受付手段と、前記受付手段が前記装填指示を受け付けると、前記複数のグループのうち、貨幣の装填対象となるグループを選定する選定手段と、前記選定手段によって選定されたグループに属する前記金種別収納部への貨幣の装填を許容する許容手段とを含む、貨幣処理システムである。
【発明の効果】
【００２１】
本発明によれば、貨幣処理装置および貨幣処理システムにおける貨幣の装填について使い勝手の向上を図れる。
【図面の簡単な説明】
【００２２】
【図１】図１は、本発明の一実施形態に係る貨幣処理システムが適用された施設の内部レイアウトを示す模式図である。
【図２】図２は、図１における貨幣処理装置の内部構成を示す概略正面図である。
【図３】図３は、貨幣処理装置を正面側から見た斜視図である。
【図４】図４は、貨幣処理装置における紙幣処理部の概要を示す模式図である。
【図５】図５は、貨幣処理装置におけるバラ硬貨処理部の概要を示す模式図である。
【図６】図６は、貨幣処理装置において包装硬貨処理部の概要を示した模式的な側面図である。
【図７】図７は、貨幣処理装置を背面側から見た斜視図である。
【図８】図８は、貨幣処理装置の電気的構成を示すブロック図である。
【図９】図９は、貨幣処理装置の記憶部に記憶されたテーブルを示す図である。
【図１０】図１０は、貨幣処理装置の表示操作部における表示内容の一例を示す図である。
【図１１】図１１は、表示操作部における表示内容の一例を示す図である。
【図１２】図１２は、貨幣処理装置において実施される処理の手順を示すフローチャートである。
【図１３】図１３は、表示操作部における表示内容の一例を示す図である。
【図１４】図１４は、表示操作部における表示内容の一例を示す図である。
【図１５】図１５は、表示操作部における表示内容の一例を示す図である。
【図１６】図１６は、表示操作部における表示内容の一例を示す図である。
【図１７】図１７は、表示操作部における表示内容の一例を示す図である。
【図１８】図１８は、貨幣処理装置において実施される変形例に係る処理の手順を示すフローチャートである。
【発明を実施するための形態】
【００２３】
以下では、本発明の実施の形態を、添付図面を参照して詳細に説明する。図１は、本発明の一実施形態に係る貨幣処理システム１が適用された施設の内部レイアウトを示す模式図である。当該施設は、この実施形態では銀行であるが、金融機関に関する施設に限らず、一般的な店舗等であってもよい。銀行内には、破線で示した境界によって区切られたＡＴＭコーナーおよびバックヤードが設けられている。貨幣処理システム１は、貨幣処理装置２と、管理装置３とを含む。
【００２４】
貨幣処理装置２は、ＡＴＭコーナーに設置された両替機２ＡおよびＡＴＭ（Automated Teller Machine）２Ｂと、バックヤードに設置された出納機２Ｃとを含む。両替機２Ａ、ＡＴＭ２Ｂおよび出納機２Ｃのそれぞれの台数は、任意に設定できる。両替機２ＡおよびＡＴＭ２Ｂは、紙幣および硬貨といった貨幣についての取引を顧客と行う装置である。なお、両替機２ＡおよびＡＴＭ２Ｂにアクセスするユーザとして、顧客の他に、銀行の係員等が挙げられる。両替機２Ａは、両替等の取引を行う装置であり、ＡＴＭ２Ｂは、貨幣の預入れや払戻しや振込み等の取引を行う装置である。出納機２Ｃは、貨幣処理装置２に装填するための貨幣を保管している。出納機２Ｃのユーザである係員は、補充用の貨幣を出納機２Ｃから取り出して両替機２ＡやＡＴＭ２Ｂに装填する。
【００２５】
管理装置３は、コンピュータを用いて構成されている。管理装置３は、各貨幣処理装置２に対して、有線または無線の通信回線によって構成されたＬＡＮ４を介して通信可能に接続されている。
【００２６】
次に、両替機２Ａを例にとって、貨幣処理装置２の詳細について説明する。図２は、両替機２Ａの内部構成を示す概略正面図である。両替機２Ａは、ボックス状の装置本体１０と、装置本体１０内に収容された電源部１１、カード処理部１２、プリンタ部１３、紙幣処理部１４、バラ硬貨処理部１５、包装硬貨処理部１６および制御部１７とを含む。なお、これらの部品の装置本体１０内におけるレイアウトは、任意に変更できる。バラ硬貨処理部１５および包装硬貨処理部１６に関し、バラ硬貨は、文字通りバラの硬貨であるのに対し、包装硬貨は、例えば５０枚等の所定数毎にまとまった状態にて包装された硬貨である。カード処理部１２、プリンタ部１３、紙幣処理部１４、バラ硬貨処理部１５、包装硬貨処理部１６および制御部１７は、電源部１１から供給された電力によって作動する電気部品である。
【００２７】
図３は、両替機２Ａを前側から見た斜視図である。装置本体１０の前側上部は、Ｌ字状に切り欠かれている。装置本体１０の前面は、略垂直に延びる垂直面２０と、垂直面２０の上端から後側へ略水平に延びる水平面２１と、水平面２１の後端から後上側へ少し傾斜して延びる傾斜面２２とを含む。傾斜面２２における幅方向の略中央部には、表示操作部２３が設けられている。表示操作部２３は、例えばタッチパネルディスプレイによって構成されている。表示操作部２３には、顧客向けの情報等が表示される。
【００２８】
傾斜面２２における表示操作部２３の右隣には、バラ硬貨出金口２４が形成されている。バラ硬貨出金口２４は、モータ等の駆動部（図示せず）の駆動力を受けてスライドする第１シャッター２５によって開閉される。傾斜面２２においてバラ硬貨出金口２４の上方には、貨幣処理装置２が両替機２Ａであることを示す「両替」という表示が付されている。傾斜面２２において、表示操作部２３の下側には、カード挿入口２６とレシート発行口２７とが、左右に並んで設けられている。顧客のカード（図示せず）がカード挿入口２６に挿入されると、カード処理部１２（図２参照）は、このカードに記憶された情報を読み取ってカード挿入口２６から顧客に返却する。プリンタ部１３は、顧客との取引に係る明細等をレシート（図示せず）に印字して、このレシートをレシート発行口２７から顧客に発行する。
【００２９】
水平面２１において、左側に包装硬貨出金口２８が形成され、右側に紙幣入出金口２９が形成されている。包装硬貨出金口２８は、モータ等の駆動部（図示せず）の駆動力を受けてスライドする第２シャッター３０によって開閉される。紙幣入出金口２９は、第２シャッター３０と同様にスライドする第３シャッター３１によって開閉される。
【００３０】
図４は、紙幣処理部１４の概要を示す模式図である。紙幣処理部１４は、装置本体１０内に設けられた収納庫３５、環状搬送路３６、取込搬送路３７、取出搬送路３８、入金リジェクト部３９、出金リジェクト部４０および識別部４１を含む。
【００３１】
収納庫３５は、箱状に形成され、複数（ここでは５つ）存在し、前後（図４では左右）に並んで配置されている。５つの収納庫３５のうち、３つの収納庫３５は、出金のために準備された紙幣を金種別に積層状態にて収納する第１出金庫３５Ａ、第２出金庫３５Ｂおよび第３出金庫３５Ｃである。別の１つの収納庫３５は、入金された紙幣を一時的に収納する一時保留部３５Ｄであり、残りの１つの収納庫３５は、入金された紙幣を最終的に収納する入金庫３５Ｅである。一例として、第１出金庫３５Ａは、１万円札の紙幣を収納し、第２出金庫３５Ｂは、５千円の紙幣を収納し、第３出金庫３５Ｃは、千円札の紙幣を収納する。入金庫３５Ｅは、複数の金種が混合した状態にて紙幣を収納する。
【００３２】
環状搬送路３６は、ループ状をなしており、５つの収納庫３５の上側に配置されている。環状搬送路３６は、分岐路４６、４７、４８、４９および５０を介して、第１出金庫３５Ａ、第２出金庫３５Ｂ、第３出金庫３５Ｃ、一時保留部３５Ｄおよび入金庫３５Ｅに接続されている。取込搬送路３７は、紙幣入出金口２９に入金された紙幣を１枚ずつ取り込み、環状搬送路３６へ送るための搬送路である。取出搬送路３８は、環状搬送路３６内の紙幣を、紙幣入出金口２９や、紙幣入出金口２９と一体的に設けられた入金リジェクト部３９に送るための搬送路である。
【００３３】
出金リジェクト部４０は、分岐路５１を介して、取込搬送路３７の途中につながっている。識別部４１は、環状搬送路３６の途中に配置されている。識別部４１は、環状搬送路３６において搬送される紙幣の金種、正損、真偽等を識別する一般的なセンサである。損傷のある紙幣や偽の紙幣は、リジェクト紙幣であると識別部４１によって識別される。
【００３４】
紙幣処理部１４内の各搬送路や分岐路において、紙幣は、モータ等の駆動部（図示せず）の駆動力を受けて回転する搬送ローラ（図示せず）や周回移動する搬送ベルト（図示せず）によって搬送される。紙幣処理部１４内において、搬送路と分岐路との接続位置には、ソレノイド等の駆動部（図示せず）の作動に応じて紙幣の搬送方向を切り換える分岐爪（図示せず）が設けられている。
【００３５】
紙幣による両替の取引について説明すると、顧客の紙幣は、紙幣入出金口２９に払い込まれ、その後、取込搬送路３７を通って環状搬送路３６に進入する。この紙幣は、環状搬送路３６によって搬送され、その途中において識別部４１によって識別される。リジェクト紙幣であると識別部４１によって識別された紙幣は、取出搬送路３８を通って入金リジェクト部３９に搬送され、顧客に返却される。リジェクト紙幣でないと識別部４１によって識別された紙幣は、分岐路４９を経て一時保留部３５Ｄに一時保留される。
【００３６】
以上の入金処理の後、顧客によって紙幣を含む貨幣への両替が指示されると、出金用に指定された金種の紙幣が、対応する第１出金庫３５Ａ〜第３出金庫３５Ｃから環状搬送路３６に繰り出される。環状搬送路３６に繰り出された紙幣のうち、リジェクト紙幣であると識別部４１によって識別された紙幣は、環状搬送路３６から取込搬送路３７および分岐路５１を通過して出金リジェクト部４０に送られる。出金リジェクト部４０のリジェクト紙幣は、係員によって回収される。リジェクト紙幣でないと識別部４１によって識別された出金用の紙幣は、取出搬送路３８を通過して、紙幣入出金口２９から顧客に出金される。このような出金処理の後に一時保留部３５Ｄの紙幣が入金庫３５Ｅに収納されると、両替の取引が完了する。
【００３７】
図５は、バラ硬貨処理部１５の概要を示す模式図である。バラ硬貨処理部１５は、装置本体１０内に設けられた硬貨出金庫５５および搬送路５６を含む。硬貨出金庫５５は、ホッパ状に形成され、複数（ここでは４つ）存在し、前後（図５では左右）に並んで配置される。各硬貨出金庫５５の底部には、硬貨を１枚ずつ繰り出す繰出機構（図示せず）と、繰り出された硬貨の金種、正損、真偽等を識別する識別部５７とが設けられている。４つの硬貨出金庫５５は、出金のために準備されたバラ硬貨を収納する第１硬貨出金庫５５Ａ、第２硬貨出金庫５５Ｂ、第３硬貨出金庫５５Ｃおよび第４硬貨出金庫５５Ｄである。一例として、第１硬貨出金庫５５Ａは、５０円硬貨を収納し、第２硬貨出金庫５５Ｂは、１００円硬貨を収納し、第３硬貨出金庫５５Ｃは、５００円硬貨を収納し、第４硬貨出金庫５５Ｄは、５０円硬貨、１００円硬貨および５００円硬貨のいずれかの硬貨または別の金種の硬貨（例えば１０円硬貨）を収納する。
【００３８】
搬送路５６は、４つの硬貨出金庫５５を上下に取り囲むように配置されている。そのため、搬送路５６は、４つの硬貨出金庫５５の下側に跨って延びる下側搬送路５６Ａと、下側搬送路５６Ａに連通し、５つの硬貨出金庫５５の上側に跨って延びる上側搬送路５６Ｂとを含む。搬送路５６において出金のために搬送されるバラ硬貨の搬送方向は、図５における時計回りである。バラ硬貨の搬送方向における上側搬送路５６Ｂの下流端は、バラ硬貨出金口２４につながっている。
【００３９】
下側搬送路５６Ａは、繰出通路５８、５９、６０および６１を介して、第１硬貨出金庫５５Ａ、第２硬貨出金庫５５Ｂ、第３硬貨出金庫５５Ｃおよび第４硬貨出金庫５５Ｄのそれぞれの底部につながっている。上側搬送路５６Ｂは、補充通路６３、６４、６５および６６を介して、第１硬貨出金庫５５Ａ、第２硬貨出金庫５５Ｂ、第３硬貨出金庫５５Ｃおよび第４硬貨出金庫５５Ｄのそれぞれの上部につながっている。
【００４０】
搬送路５６には、前述した搬送ローラや搬送ベルト等によって構成された搬送機構（図示せず）が、前述した繰出機構によって繰り出されたバラ硬貨を搬送するために設けられている。搬送機構がモータ等の駆動部（図示せず）の駆動力を受けると、下側搬送路５６Ａ内のバラ硬貨は、上側搬送路５６Ｂに送り出され、上側搬送路５６Ｂを通過した後にバラ硬貨出金口２４に送られる。前述した分岐爪（図示せず）は、上側搬送路５６Ｂと補充通路６３〜６６のそれぞれとの接続位置にも設けられている。この分岐爪の向きを切り換えることによって、上側搬送路５６Ｂ内のバラ硬貨を、補充通路６３〜６６から所望の硬貨出金庫５５に送り込むことができる。
【００４１】
バラ硬貨による両替の取引について説明すると、この取引のために入金された顧客の紙幣が、前述した入金処理により、紙幣処理部１４の一時保留部３５Ｄに一時保留される。その後、顧客によってバラ硬貨を含む貨幣への両替が指示されると、指定された金種のバラ硬貨が、対応する第１硬貨出金庫５５Ａ〜第４硬貨出金庫５５Ｄから繰出機構（図示せず）によって繰り出され、識別部５７を通って下側搬送路５６Ａに進入する。下側搬送路５６Ａに進入したバラ硬貨は、上側搬送路５６Ｂを通過した後に、バラ硬貨出金口２４から顧客に出金される。これに応じて、紙幣処理部１４の一時保留部３５Ｄに一時保留された紙幣が入金庫３５Ｅに収納されると、両替の取引が完了する。
【００４２】
なお、リジェクト硬貨であると識別部５７によって識別された硬貨は、バラ硬貨出金口２４を通過した後に、バラ硬貨出金口２４よりも下流側の出金リジェクト部６８に収納される。出金リジェクト部６８のリジェクト硬貨は、係員によって回収される。
【００４３】
図６は、両替機２Ａにおいて包装硬貨処理部１６の概要を示した模式的な右側面図である。包装硬貨処理部１６は、円柱状の包装硬貨Ｋを金種毎（例えば、５００円硬貨、１００円硬貨、５０円硬貨、１０円硬貨、５円硬貨および１円硬貨の６金種毎）に収納している。包装硬貨処理部１６は、取引の際に、必要な額に相当する金種および本数の包装硬貨Ｋを包装硬貨出金口２８に払い出す。包装硬貨処理部１６は、包装硬貨Ｋを包装硬貨出金口２８に払い出すための払出機構７１と、装着部７２と、包装硬貨Ｋを金種別に収納する複数の金種別収納部７３とを含む。
【００４４】
払出機構７１は、装置本体１０内において包装硬貨出金口２８の真下の領域に配置されている。払出機構７１は、上面が開放された箱状のバケット７４と、バケット７４を包装硬貨出金口２８の直下の上位置（破線のバケット７４を参照）と最下方の下位置（実線のバケット７４を参照）との間で昇降させる昇降機構７５と、金種別収納部７３から包装硬貨Ｋをバケット７４内へ繰り出すための繰出部７６とを含む。昇降機構７５は、モータ等の駆動部（図示せず）によって構成される。繰出部７６は、バケット７４に取り付けられ、１点鎖線の矢印にて示すように、バケット７４とともに昇降する。
【００４５】
複数の装着部７２は、装置本体１０内において、バケット７４の移動領域の後側（図６では右側）に配置されている。装着部７２を、装置本体１０の一部とみなしてよい。この実施形態における装着部７２は、２つ存在し、左右（図６では紙面に直交する方向）に並んで配置されている。装着部７２は、ボックス状に形成されている。装着部７２の内部空間は、バケット７４の移動領域に露出されている。装着部７２の後面には、縦長の着脱口７２Ａと、着脱口７２Ａを開閉する扉状の開閉部７７とが設けられている。なお、以降では、貨幣処理装置２を後方から見たときを基準として、左右方向を特定する。そのため、以降における「左」とは、貨幣処理装置２を後方から見たときにおける左であり、以降における「右」とは、貨幣処理装置２を後方から見たときにおける右である。
【００４６】
この実施形態における金種別収納部７３は、２８個存在している。１４個の金種別収納部７３が、縦に重なって配置されて１つの列を構成し、残りの１４個の金種別収納部７３も、縦に重なって配置されて、別の１列を構成している。そのため、金種別収納部７３は、左右２列上下１４段に並んで配置されている。つまり、これらの金種別収納部７３は、左列および右列という２つのグループのいずれかにグループ分けされており、グループ毎にまとまって配置されている。左列に属する１４個の金種別収納部７３は、左側の装着部７２に装着され、この装着部７２の内部空間に配置されている。右列に属する１４個の金種別収納部７３は、右側の装着部７２に装着され、この装着部７２の内部空間に配置されている。各装着部７２の開閉部７７は、左列および右列のグループ毎に設けられている。
【００４７】
金種別収納部７３は、前後（図６では左右）に長手のトレイ状またはカセット状に形成されている。金種別収納部７３は、その左右方向（図６の紙面に垂直な方向）における両側面を塞いだ側板（図示せず）も含む。左右の各列における複数の金種別収納部７３は、水平方向に対して後上側へ傾斜した姿勢にて上下方向に並んで配置されている。各金種別収納部７３は、装着部７２によって支持された状態において、金種別収納部７３の傾斜に沿って前後にスライド可能である。係員は、金種別収納部７３を後側へスライドさせて装着部７２の着脱口７２Ａから引き出すことにより、装着部７２から離脱させることができる。係員は、金種別収納部７３を着脱口７２Ａから装着部７２内に挿入することにより、装着部７２に装着することができる。
【００４８】
各金種別収納部７３には、５００円硬貨、１００円硬貨、５０円硬貨、１０円硬貨、５円硬貨および１円硬貨のいずれか１金種の包装硬貨Ｋが、金種別収納部７３の左右方向に長手となった状態にて、金種別収納部７３の傾斜に沿って並んで収納される。金種別収納部７３内において、これらの包装硬貨Ｋは、自重によって、まとまった状態にて前側の払出機構７１へ向けて片寄っており、金種別収納部７３において上側へ湾曲した前端部７３Ａによって前側からせき止められている。
【００４９】
包装硬貨Ｋによる両替の取引について説明すると、この取引のために入金された顧客の紙幣が、前述した入金処理より、紙幣処理部１４の一時保留部３５Ｄに一時保留される。その後、顧客によって包装硬貨を含む貨幣への両替が指示されると、今まで下位置にあったバケット７４が、顧客によって指定された金種の包装硬貨Ｋを収容する金種別収納部７３の前端部７３Ａまで上昇する。その後、この金種別収納部７３内の包装硬貨Ｋが、繰出部７６において例えばモータ等の駆動部によって駆動回転される爪（図示せず）に引っ掛けられることによって、前側の包装硬貨Ｋから順にバケット７４に１本ずつ繰り出される。なお、繰出部７６の爪が金種別収納部７３における先頭の包装硬貨Ｋに円滑に引っ掛かるように、繰り出し中において、当該金種別収納部７３の下隣の金種別収納部７３を後側へずらしてもよい。また、繰出部７６は、金種別収納部７３の左列および右列に応じて２つ存在してもよく、その場合、各繰出部７６が、左列および右列のうち対応する列の金種別収納部７３から、共通のバケット７４に包装硬貨Ｋを繰り出す。
【００５０】
必要な金種の包装硬貨Ｋが必要数だけ各金種別収納部７３からバケット７４に繰り出されると、バケット７４は、上位置まで上昇する。その後、第２シャッター３０が開いて、バケット７４内の包装硬貨Ｋは、包装硬貨出金口２８に露出されて顧客に出金される。これに応じて、紙幣処理部１４の一時保留部３５Ｄに一時保留されていた紙幣が入金庫３５Ｅに収納されると、両替の取引が完了する。
【００５１】
包装硬貨処理部１６は、モータ等の駆動部の駆動力を受けて金種別収納部７３の傾斜に沿ってスライド可能な計数部７８を含む。計数部７８は、スライドする際に、金種別収納部７３内の包装硬貨Ｋにおいて長手方向の端部に位置する硬貨の模様等から当該包装硬貨Ｋの金種や真偽を識別するとともに、包装硬貨Ｋを１本ずつ計数する。計数部７８として、光学式の計数センサ等の公知のものを用いることができる。計数部７８は、金種別収納部７３毎に設けられてもよいし、１つの計数部７８が、各金種別収納部７３まで昇降することによって、全ての金種別収納部７３の包装硬貨Ｋを識別および計数できてもよい。
【００５２】
図７は、両替機２Ａを背面側から見た斜視図である。両替機２Ａの装置本体１０の後壁には、この後壁のほぼ全域にわたる本体開口部１０Ａと、本体扉７９とが設けられている。本体扉７９は、装置本体１０の後壁の左端部に設けられたヒンジ８０を介して装置本体１０に連結されている。本体扉７９は、ヒンジ８０を中心に回動することによって、本体開口部１０Ａを開閉する。本体扉７９は、ロック機構（図示せず）によって、閉じた状態にてロックされる。係員は、専用の鍵（図示せず）を本体扉７９の鍵穴（図示せず）に差し込んで回すことによって、ロック機構によるロックを解除して、本体扉７９を開くことができる。本体扉７９が開くと、図７に示すように、装置本体１０の内部が本体開口部１０Ａから後方へ露出される。具体的には、包装硬貨処理部１６における左右の装着部７２および開閉部７７と、表示操作部８１とが、少なくとも露出される。
【００５３】
図７における各開閉部７７は、対応する装着部７２の着脱口７２Ａを閉じた閉位置にあって、当該装着部７２内の全ての金種別収納部７３、つまり、対応するグループに属する全ての金種別収納部７３を後側から遮蔽している。閉位置にある開閉部７７の左端部は、ヒンジ８２を介して、対応する装着部７２の後壁に連結されている。係員は、閉位置にある開閉部７７の右端部における取っ手８３を掴んで後側へ引くことにより、開閉部７７を、ヒンジ８２を中心に回動させて開位置まで開くことができる。つまり、開閉部７７は、閉位置と開位置との間において開閉可能である。開閉部７７が開位置まで開くと、対応する装着部７２内の全ての金種別収納部７３が着脱口７２Ａから後側へ開放される。
【００５４】
各装着部７２には、ロック機構８４が内蔵されている。ロック機構８４は、例えば電磁ロックによって構成されており、ロック手段の一例として機能する。開閉部７７は、通常、ロック機構８４によって閉位置にてロックされている。開閉部７７が閉位置にてロックされた装着部７２では、係員が着脱口７２Ａからいずれの金種別収納部７３にもアクセスできないので、金種別収納部７３への包装硬貨Ｋの装填が禁止された状態にある。ロック機構８４による開閉部７７のロックが解除された装着部７２では、係員が開閉部７７を開いて着脱口７２Ａから金種別収納部７３にアクセスできるので、金種別収納部７３への包装硬貨Ｋの装填が許容された状態にある。ロック機構８４が各装着部７２に設けられるので、金種別収納部７３への包装硬貨Ｋの装填は、装着部７２毎つまり左列または右列のグループ毎に許容または禁止される。
【００５５】
表示操作部８１は、例えばタッチパネルディスプレイによって構成されており、受付手段の一例として機能する。表示操作部８１は、装着部７２よりも高い位置において、前述したプリンタ部１３の裏側に配置されている。表示操作部８１には、係員向けの情報が表示される。なお、本体扉７９が閉じた状態においても表示操作部８１の内容が外から視認できるように、透明または半透明の窓７９Ａが本体扉７９に設けられている。
【００５６】
図８は、貨幣処理装置２の電気的構成を示すブロック図である。制御部１７は、例えばマイクロコンピュータによって構成されていて、受付手段、選定手段、許容手段、取引手段、設定手段および報知手段の一例として機能する。制御部１７には、電源部１１、カード処理部１２、プリンタ部１３、紙幣処理部１４、バラ硬貨処理部１５、包装硬貨処理部１６、表示操作部２３、第１シャッター２５、第２シャッター３０、第３シャッター３１および表示操作部８１のそれぞれと、通信Ｉ／Ｆ部８５と、記憶手段の一例としての記憶部８６とが電気的に接続されている。
【００５７】
制御部１７は、カード挿入口２６に挿入されたカードに記憶された情報をカード処理部１２によって読み取ってカード挿入口２６から返却する。制御部１７は、プリンタ部１３によってレシートを印刷してレシート発行口２７から発行する。
【００５８】
制御部１７は、紙幣処理部１４における前述した駆動部（図示せず）を制御する。これにより、制御部１７は、紙幣入出金口２９、入金リジェクト部３９および出金リジェクト部４０のそれぞれと、各収納庫３５との間において紙幣を移動させたり、収納庫３５同士の間において紙幣を移動させたり、第３シャッター３１を開閉したりすることができる（図３および図４参照）。紙幣処理部１４の識別部４１による紙幣の識別結果は、制御部１７に入力される。
【００５９】
制御部１７は、バラ硬貨処理部１５における前述した駆動部（図示せず）を制御する。これによって、制御部１７は、各硬貨出金庫５５からバラ硬貨出金口２４や出金リジェクト部６８までバラ硬貨を移動させたり、硬貨出金庫５５同士の間においてバラ硬貨を移動させたり、第１シャッター２５を開閉したりすることができる（図３および図５参照）。バラ硬貨処理部１５の各識別部５７によるバラ硬貨の識別結果は、制御部１７に入力される。
【００６０】
制御部１７は、包装硬貨処理部１６における前述した駆動部（図示せず）を制御する。これによって、制御部１７は、各金種別収納部７３の包装硬貨Ｋを繰り出して包装硬貨出金口２８まで移動させたり、第２シャッター３０を開閉したりすることができる（図６参照）。包装硬貨処理部１６の計数部７８による包装硬貨Ｋの識別結果および計数結果は、制御部１７に入力される。また、制御部１７は、包装硬貨処理部１６の各装着部７２におけるロック機構８４を制御することによって、各装着部７２の開閉部７７を閉位置にてロックしたり、そのロックを解除したりすることができる。このように開閉部７７のロックを制御する制御部１７は、開閉部７７によって開閉される各装着部７２への包装硬貨Ｋの装填を許容したり禁止したりする制限手段の一例として機能する。
【００６１】
なお、制御部１７をメイン制御部として、紙幣処理部１４、バラ硬貨処理部１５および包装硬貨処理部１６のそれぞれにサブ制御部（図示せず）を設けてもよい。その場合、紙幣処理部１４、バラ硬貨処理部１５および包装硬貨処理部１６のそれぞれについて前述した動作は、メイン制御部の指示を受けたサブ制御部によって制御される。
【００６２】
制御部１７は、顧客による表示操作部２３の操作を受け付けたり、表示操作部２３の表示を制御したりすることができる。制御部１７は、係員による表示操作部８１の操作を受け付けたり、表示操作部８１の表示を制御したりすることができる。通信Ｉ／Ｆ部８５は、制御部１７が他の貨幣処理装置２や管理装置３と通信するためのインターフェース部であって、ＬＡＮ４（図１参照）に接続されている。
【００６３】
記憶部８６は、不揮発性メモリやハードディスクドライブといった記憶デバイスによって構成されていて、両替機２Ａに関する様々な情報を記憶している。当該情報の一例として、貨幣の在庫が挙げられる。例えば、包装硬貨Ｋの在庫として、記憶部８６は、図９に示すテーブル８７を記憶している。包装硬貨Ｋを収納する合計２８個の金種別収納部７３には、それぞれの金種別収納部７３を識別するための１〜２８のトレイＮｏ．が１つずつ割り当てられている。右列に属する１４個の金種別収納部７３では、下端に位置するトレイＮｏ．１の金種別収納部７３から、上端に位置するトレイＮｏ．１４の金種別収納部７３へ向けて、トレイＮｏ．が１つずつ大きくなっている。左列に属する１４個の金種別収納部７３では、下端に位置するトレイＮｏ．１５の金種別収納部７３から、上端に位置するトレイＮｏ．２８の金種別収納部７３へ向けて、トレイＮｏ．が１つずつ大きくなっている。なお、テーブル８７の上端において、「Ｗ８」は、左列を指す記号として予め定められたものであり、「Ｗ９」は、右列を指す記号として予め定められたものである。これらの記号は、左右方向において対応する位置にある開閉部７７の表面に、シールや刻印等によって表示されている（図７参照）。
【００６４】
テーブル８７には、各トレイＮｏ．の金種別収納部７３に現在収納されている包装硬貨Ｋの金種、本数および金額が記録されている。ここでの金額とは、金種に本数（収納本数）と包装硬貨Ｋの１本に含まれる硬貨の枚数（ここでは５０枚）とを乗じることによって得られる金種別収納部７３毎の合計金額である。各金種別収納部７３に収納される包装硬貨Ｋの金種は、係員による表示操作部８１の操作等に基く初期設定によって予め定められている。図９では、左列および右列において、同じ段（高さ位置）にある金種別収納部７３に収納する包装硬貨Ｋの金種が同じであるが（例えばトレイＮｏ．１および１５の金種別収納部７３を参照）、包装硬貨Ｋの金種は、左列および右列の各段において同じでなくてもよい。図９では、左列および右列において、全ての金種別収納部７３に、いずれかの金種の包装硬貨Ｋが収納されているが、金種の包装硬貨Ｋが収納されない空きの金種別収納部７３が設定されてもよい。図９は、全ての金種別収納部７３において包装硬貨Ｋが上限（最大収納本数）まで収納された状態を示している。前述した両替等の取引によって金種別収納部７３から包装硬貨Ｋが繰り出されると、制御部１７は、当該金種別収納部７３における包装硬貨Ｋの本数を減らすことによってテーブル８７の内容を更新する。
【００６５】
制御部１７は、包装硬貨Ｋの精査処理として、所定のタイミングにおいて、計数部７８（図６参照）をスライドさせて各金種別収納部７３内の包装硬貨Ｋを識別および計数してもよい。制御部１７は、計数部７８による識別および計数に応じて、各金種別収納部７３内の包装硬貨Ｋの最新の収納本数を取得するとともに、今までテーブル８７に記憶されていた直前の収納本数と比較する。最新の収納本数と直前の収納本数とが一致すれば、各金種別収納部７３の包装硬貨Ｋについての精査処理が無事終了する。なお、営業開始前等のタイミングにおいてテーブル８７内の収納本数がリセットされている状態にて精査処理が行われると、制御部１７は、この精査処理にて得られた収納本数を、最新の在庫としてテーブル８７に記録する。
【００６６】
係員は、両替機２Ａに後側からアクセスすることによって、各金種別収納部７３に包装硬貨Ｋを装填することができる。なお、顧客との取引中であっても、両替機２Ａでは、ノンストップ運用として、包装硬貨Ｋを装填できる。係員は、包装硬貨Ｋの装填のために、前述した本体扉７９を開いて装置本体１０の後壁における本体開口部１０Ａを開放し、左右の装着部７２および開閉部７７と、表示操作部８１とを後側へ露出させる（図７参照）。係員が表示操作部８１を操作することによってログイン等すると、制御部１７は、図１０に示す係員画面８８を表示操作部８１に表示する。係員画面８８の例えば上端部には、複数のタブ８９が左右に並んで表示され、係員画面８８の例えば下端部には、かんたん装填キー９０が表示されている。タブ８９およびかんたん装填キー９０は、タッチキーである。
【００６７】
係員が「状態表示」と記されたタブ８９にタッチすると、係員画面８８において上端部と下端部との間の領域には、紙幣、バラ硬貨および包装硬貨の金種別の状態が表示される。ある金種の貨幣（図１０では５００円包装硬貨）が貨幣処理装置２内に全く存在しなければ、この金種の状態は、エンプティである。ある金種の貨幣（図１０では５０円包装硬貨）について、貨幣処理装置２全体の在庫数が、所定値（下限値）を下回っていれば、この金種の状態は、ニアエンプティである。ある金種の貨幣について、貨幣処理装置２全体の在庫数が、前記所定値以上であれば、この金種の状態は、正常である。係員は、このような状態表示に基いて、紙幣、バラ硬貨および包装硬貨の金種別の在庫を大まかに把握できる。係員は、在庫についての詳細な情報を知りたければ、「残量表示」と記されたタブ８９にタッチする。すると、係員画面８８には、紙幣、バラ硬貨および包装硬貨の金種別の在庫数が詳細に表示される。例えば、包装硬貨の場合には、前述したテーブル８７の内容が係員画面８８に表示される。係員が、「取引明細」と記されたタブ８９にタッチすると、今までの取引の履歴に関する情報が、係員画面８８に表示される。
【００６８】
貨幣を装填したい係員は、係員画面８８において、かんたん装填キー９０にタッチする。すると、制御部１７は、図１１に示すメニュー画面９１を表示操作部８１に切替表示する。例えば、メニュー画面９１の上端部には、「かんたん装填メニュー」という見出しと、「処理を選択してください」という案内文とが表示され、メニュー画面９１の下端部には、取消キー９２が表示されている。メニュー画面９１において上端部と下端部との間の領域には、複数（ここでは４つ）の選択キー９３が上下に並んで表示されている。取消キー９２および複数の選択キー９３は、タッチキーである。係員が、取消キー９２にタッチすると、制御部１７は、１つ前の画面（ここでは係員画面８８）を表示操作部８１に切替表示する。
【００６９】
係員は、紙幣、バラ硬貨および包装硬貨のいずれかを装填したい場合には、当該いずれかが記された選択キー９３にタッチする。今回、係員は、包装硬貨を装填したいので、メニュー画面９１において「包装硬貨装填」と記された選択キー９３にタッチする。係員による選択キー９３のタッチは、貨幣処理装置２の金種別収納部７３への包装硬貨Ｋの装填指示である。図１２に示すフローチャートを参照して、制御部１７は、このような装填指示を表示操作部８１にて受け付けると（ステップＳ１においてＹＥＳ）、前述した左列および右列という複数のグループのうち、包装硬貨Ｋの装填対象となるグループを選定する（ステップＳ２）。
【００７０】
装填対象として選定されるグループは、以下の第１選定条件を最低限満たしている必要がある。装填対象として選定されるグループは、以下の第２〜第５選定条件の少なくともいずれかをさらに満たしている必要があってもよい。これらの選定条件は、記憶部８６に記憶されている。
・第１選定条件：現在取引に用いられている金種別収納部７３が属するグループとは別のグループであること。ただし、現在取引が行われていなければ、第１選定条件は無視できる。
・第２選定条件：グループ全体における全金種または特定金種の包装硬貨Ｋの収納量が他のグループの収納量よりも少ないグループであること。当該特定金種として、出金頻度が高い１種類または複数種類の金種（例えば１００円）が挙げられ、係員は、表示操作部８１の操作等によって当該特定金種を事前に指定できる。
・第３選定条件：各金種別収納部７３に収納された包装硬貨Ｋのグループ全体の全金種または前記特定金種の合計金額が他のグループよりも少ないグループであること。
・第４選定条件：包装硬貨Ｋの収納量が所定値を下回ったエンプティまたはニアエンプティの金種別収納部７３の数が他のグループよりも多いグループであること。
・第５選定条件：いずれの金種も収納対象として設定されていない空きの金種別収納部７３の数が他のグループよりも多いグループであること。
【００７１】
制御部１７は、包装硬貨Ｋの収納量（前述した収納本数）や、合計金額を、記憶部８６のテーブル８７（図９参照）から取得し、前述した選定条件も記憶部８６から取得する。そのため、制御部１７は、ステップＳ２において、記憶部８６に記憶された情報に基いて、包装硬貨Ｋの装填対象となるグループを選定する。特に、第２〜第４選定条件の場合には、包装硬貨Ｋの装填についての必要性が高いグループが、装填対象として自動的に選定される。そのため、両替機２Ａへの効率的な包装硬貨Ｋの装填が可能になるので、包装硬貨Ｋの装填について使い勝手の向上を図れる。なお、選定条件や包装硬貨Ｋの収納量や合計金額は、記憶部８６でなく、外部の管理装置３に記憶されてもよく、その場合、制御部１７は、管理装置３と通信することによって、これらの情報を取得してから、包装硬貨Ｋの装填対象となるグループを選定する。
【００７２】
制御部１７は、係員による表示操作部８１の操作等を受け付けることによって、選定条件の優先順位、つまり、選定されるグループの優先順位を事前に設定し、記憶部８６に記憶しておくことができる。その場合、制御部１７は、この優先順位も考慮して、包装硬貨Ｋの装填対象となるグループを選定する。そのため、係員にとって都合のよい装填が可能になるので、包装硬貨Ｋの装填について使い勝手の一層の向上を図れる。仮に、左列および右列における包装硬貨Ｋの収納状態（金種別の在庫数）が全く同じである場合には、制御部１７は、これらのグループのうち、予め定めたグループ（例えば左列）を優先して選定してもよい。この場合も、係員にとって都合のよい装填が可能になるので、包装硬貨Ｋの装填について使い勝手の向上を図れる。
【００７３】
以上のように装填対象のグループが選定されると、制御部１７は、当該グループに対応する開閉部７７について、ロック機構８４によるロックを解除する（ステップＳ３）。これにより、係員は、ロックが解除された開閉部７７を開いて、当該グループに属する金種別収納部７３に包装硬貨Ｋを収納することができる。つまり、制御部１７は、ステップＳ２にて選定したグループに属する金種別収納部７３への包装硬貨Ｋの装填を許容する。
【００７４】
また、ステップＳ３において、制御部１７は、ロックを解除した開閉部７７を開けて包装硬貨Ｋを装填するようユーザに促す。例えば、左列が選定された場合には、制御部１７は、左側の装着部７２の開閉部７７のロックを解除し、図１３に示すように「左側（Ｗ８側）の扉を開けてください」といった案内文を含む案内画面９４を表示操作部８１に表示して、係員を装填先の開閉部７７へ誘導する。つまり、制御部１７は、ステップＳ２にて選定したグループについての情報（図１３では、当該グループに対応する扉の情報）を表示操作部８１によって係員に報知する。そのため、報知を受けた係員は、装填対象となる金種別収納部７３を速やかに見つけることができる。これにより、包装硬貨Ｋの装填について使い勝手の向上を図れる。なお、報知に関する変形例として、制御部１７は、選定したグループに対応する開閉部７７や金種別収納部７３の周辺を、ＬＥＤ等の光源によってライトアップしてもよい。
【００７５】
案内画面９４を見た係員が、指定された開閉部７７を開位置まで開くと、制御部１７は、図１４に示す入力画面９５を表示操作部８１に表示する。貨幣処理装置２は、開閉部７７が開位置および閉位置のどちらにあるかを検知するセンサ（図示せず）を備え、制御部１７は、このセンサの検知結果が入力されることによって開閉部７７の開閉を把握する。
【００７６】
例えば、入力画面９５の上端部には、「包装硬貨装填」という見出しと、「データを入力し、［確認］を押してください」という案内文とが表示され、入力画面９５の下端部には、前述した取消キー９２が表示されている。入力画面９５において上端部と下端部との間の領域には、テンキー９６と、装填本数表示欄９７と、確認キー９８と、合計金額表示欄９９とが表示されている。テンキー９６、装填本数表示欄９７および確認キー９８は、タッチキーである。
【００７７】
装填本数表示欄９７は、包装硬貨Ｋの金種毎に１つずつ存在する。係員は、開いた開閉部７７に対応する装着部７２に装着された金種別収納部７３を後側へ引き出して、この金種別収納部７３に補充用の包装硬貨Ｋを後側から装填してから、この金種別収納部７３を装着部７２に装着し直す。このようにある金種別収納部７３への包装硬貨Ｋの装填を終えた係員は、先ほど装填した金種に対応する装填本数表示欄９７にタッチしてから、当該金種についての装填した包装硬貨Ｋの本数（装填本数）をテンキー９６によって入力する。その後、係員が、テンキー９６におけるＯＫキー９６Ａにタッチすると、先ほど入力された装填本数が、装填本数表示欄９７に表示される。なお、装填本数の入力が、対応する金種別収納部７３への包装硬貨Ｋの装填よりも先に行われてもよい。また、装填する包装硬貨Ｋの本数に代えて金額を入力および表示するようにしてもよい。
【００７８】
係員が、装填本数を入力してＯＫキー９６Ａにタッチする度に、制御部１７は、当該装填本数に、１本の包装硬貨Ｋに含まれる硬貨の枚数（ここでは５０枚）と、当該包装硬貨Ｋの金種とを乗じることによって金種別の装填金額を算出し、装填金額の合計を、合計金額として合計金額表示欄９９に表示する。係員は、装填が必要と判断した全ての金種別収納部７３に包装硬貨Ｋを装填して、該当する全ての装填本数表示欄９７に装填本数を表示させると、確認キー９８にタッチする。係員は、確認キー９８のタッチに前後して、先ほど開いた開閉部７７を閉位置まで閉じる。
【００７９】
すると、制御部１７は、図１５に示す確認画面１００を表示操作部８１に表示する。例えば、確認画面１００の上端部には、「包装硬貨装填」という見出しと、「データを確認し、［完了］を押してください」という案内文とが表示され、確認画面１００の下端部には、前述した取消キー９２と、完了キー１０１とが表示されている。完了キー１０１は、タッチキーである。入力画面９５において上端部と下端部との間の領域には、前述した合計金額表示欄９９が引き続き表示され、包装硬貨の装填内容が合計金額表示欄９９の下に表示される。装填内容とは、今回装填した包装硬貨Ｋの金種別の装填本数および装填金額である。合計金額表示欄９９には、最終的な合計金額が表示される。
【００８０】
確認画面１００の内容を確認して納得した係員が完了キー１０１にタッチすると、今回の包装硬貨Ｋの装填が完了したことになる。図１２を参照して、制御部１７は、装填完了に応じて（ステップＳ４においてＹＥＳ）、係員が先ほど閉じた開閉部７７を閉位置にてロックする（ステップＳ５）。また、制御部１７は、今回装填された包装硬貨Ｋの装填本数に応じて、テーブル８７の内容を更新する。制御部１７は、前述した精査処理を、設定に応じて実行してもよい。
【００８１】
係員は、今回の装填に係る明細についてのレシートが必要であれば、表示操作部８１にメニュー画面９１を表示させて、「未印字レシート出力」と記された選択キー９３（図１１参照）にタッチする。すると、制御部１７は、図１６に示すレシート発行画面１０２を、例えばポップアップ画面としてメニュー画面９１に重ねて表示する。例えば、レシート発行画面１０２には、「未印字レシートが１件あります  レシート印字を行いますか？」という案内文と、「はい」と記されたＹＥＳキー１０３と、「いいえ」と記されたＮＯキー１０４とが表示されている。ＹＥＳキー１０３およびＮＯキー１０４は、タッチキーである。
【００８２】
係員向けのレシート発行口１１０は、前述したレシート発行口２７とは異なり、プリンタ部１３の後面部等に設けられていて、普段は、表示操作部８１の前側に隠れている（図７参照）。そこで、レシートが必要な係員は、ＹＥＳキー１０３にタッチしてから、表示操作部８１をずらして、レシート発行口１１０を後側へ露出させる。そのために、表示操作部８１は、装置本体１０によって、例えばスライド可能に支持されている。ＹＥＳキー１０３のタッチを受け付けた制御部１７は、今回の装填についてのレシートをプリンタ部１３によって印刷してレシート発行口１１０から発行する。なお、プリンタ部１３が顧客向けのレシートを発行する都合上、係員向けのレシートの発行は、顧客の取引が行われていないタイミングに行われることが好ましい。係員が、必要に応じてレシートを発行してもらった後に、本体扉７９を閉じてロックすると、包装硬貨Ｋについての一連の装填処理が完了する。
【００８３】
以上のように、グループ分けされた複数の金種別収納部７３を含む両替機２Ａでは、金種別収納部７３への包装硬貨Ｋの装填指示があると、包装硬貨Ｋの装填対象となるグループが自動的に選定され、当該グループに属する金種別収納部７３への包装硬貨Ｋの装填が許容される。そのため、包装硬貨Ｋを装填したい係員は、装填対象となるグループを自ら選定するために考慮せずに済む。その結果、両替機２Ａにおける包装硬貨Ｋの装填について使い勝手の向上を図れる。また、選定されたグループに属する全ての金種別収納部７３への包装硬貨Ｋの装填が許容されるので、係員は、当該グループ内の金種別収納部７３に対して、事前に補充を予定した金種の包装硬貨Ｋだけでなく、急遽補充が必要になった金種の包装硬貨Ｋも装填できる。
【００８４】
前述したように、両替機２Ａは、顧客との取引中であっても、ノンストップ運用として、包装硬貨Ｋを装填できる。そのため、包装硬貨Ｋの装填のために選定されたグループに属する金種別収納部７３への包装硬貨Ｋの装填が許容されている状態（ステップＳ２以降の状態）において、制御部１７は、選定したグループとは別のグループ（図１３の場合は右列）に属する金種別収納部７３を用いて顧客と取引を行うことができる。そのため、顧客は、金種別収納部７３への包装硬貨Ｋの装填中でも、両替等の取引を両替機２Ａと継続できる。これにより、包装硬貨Ｋの装填について使い勝手の一層の向上を図れる。
【００８５】
この発明は、以上の実施形態の内容に限定されるものではなく、請求項に記載の範囲内において種々の変更が可能である。
【００８６】
例えば、前述した実施形態では、包装硬貨Ｋを装填したい係員が、表示操作部８１のメニュー画面９１において「包装硬貨装填」と記された選択キー９３（図１１参照）にタッチすれば、制御部１７は、装填指示があったものとして（ステップＳ１においてＹＥＳ）、装填対象となるグループを選定する（ステップＳ２）。変形例として、装填指示は、装填する包装硬貨Ｋの金種情報を含んでもよい。具体的には、係員が「包装硬貨装填」と記された選択キー９３にタッチすると、制御部１７は、図１７に示す金種選択画面１０５を表示操作部８１に切替表示する。例えば、金種選択画面１０５の上端部には、「かんたん装填メニュー」という見出しと、「装填する包装硬貨の金種を選択し、［実行］を押して下さい」という案内文とが表示され、金種選択画面１０５の下端部には、前述した取消キー９２と、実行キー１０６とが表示されている。金種選択画面１０５において上端部と下端部との間の領域には、包装硬貨Ｋの金種と同数の金種選択キー１０７が並んで表示されている。実行キー１０６および複数の金種選択キー１０７は、タッチキーである。
【００８７】
係員が、装填したい包装硬貨Ｋの金種が記された金種選択キー１０７にタッチしてから実行キー１０６にタッチすると、制御部１７は、図１８のフローチャートに示すように、ステップＳ１において装填指示を受け付けるとともに（ステップＳ１においてＹＥＳ）、装填する包装硬貨Ｋの金種情報も受け付ける（ステップＳ１１においてＹＥＳ）。これに応じて、制御部１７は、左列および右列のグループのうち、当該金種情報の金種と同じ金種の包装硬貨Ｋを収納対象とするグループの中から、包装硬貨Ｋの装填対象となるグループを選定する（ステップＳ２）。つまり、変形例の場合には、以下の第６選定条件を満たすグループが、包装硬貨Ｋの装填対象となるグループとして優先して選定される。
・第６選定条件：係員により金種選択キー１０７によって選択された金種の包装硬貨Ｋを収納対象とする金種別収納部７３が属するグループであること。
【００８８】
変形例の場合、装填対象として選定されるグループは、前述した第１および第６選定条件を最低限満たす必要がある。装填対象として選定されるグループは、前述した第２〜第５選定条件および以下の第７選定条件の少なくともいずれかをさらに満たす必要があってもよい。ただし、第２選定条件に関し、変形例では、ステップＳ１１にて指定された金種についての包装硬貨Ｋの収納量が他のグループの収納量よりも少ないグループが装填対象となる。同様に、第３選定条件に関し、変形例では、ステップＳ１１にて指定された金種の包装硬貨Ｋについてのグループ全体の合計金額が他のグループよりも少ないグループが装填対象となる。また、変形例では、ステップＳ１１にて指定された金種に限定して第４選定条件や第７選定条件を適用してもよい。
・第７選定条件：所定のタイミング以降（例えば前回の装填処理以降）の期間において、ステップＳ１１にて指定された金種の包装硬貨Ｋについてのグループ全体の出金本数が他のグループよりも多いグループであること。
【００８９】
係員は、金種選択画面１０５において２つ以上の金種選択キー１０７（図１７参照）にタッチすることによって、装填したい包装硬貨Ｋの金種を複数種類指定することができる。その場合、制御部１７は、係員によって指定された複数種類の金種のうち、予め設定された優先順位が最も高い金種、または、収納本数が最も少ない金種に限定して前記選定条件を適用することによって、装填対象のグループを選定してもよい。ステップＳ３以降の処理は、前述した実施形態（図１２参照）におけるステップＳ３以降の処理と同じである。
【００９０】
変形例の場合、ユーザは、装填したい包装硬貨Ｋの金種だけを選択すれば、両替機２Ａにおいて、その金種の包装硬貨Ｋを収納対象とするグループの中から、包装硬貨Ｋの装填対象となるグループが自動的に選定される。これにより、包装硬貨Ｋの装填について使い勝手の一層の向上を図れる。なお、金種を選択する必要がない係員は、金種選択画面１０５において、いずれの金種選択キー１０７にもタッチせずに、実行キー１０６（図１７参照）だけにタッチすれば（ステップＳ１１においてＮＯ）、制御部１７は、前述した実施形態（図１２参照）と同様にステップＳ２以降の処理を行う。
【００９１】
以上の実施形態では、左列および右列のそれぞれのグループに対応する開閉部７７についてのロック機構８４によるロックおよびロック解除によって、各グループに属する全ての金種別収納部７３への包装硬貨Ｋの装填が許容または禁止される。開閉部７７をロック機構８４によってロックする構成に代えて、各金種別収納部７３をロックするロック機構１０８（図８参照）が各装着部７２に設けられてもよい。この場合、開閉部７７およびロック機構８４を省略できる。ロック機構１０８は、例えば電磁ロックによって構成されており、制御部１７によって制御される。ロック機構１０８は、通常は、対応するグループに属する全ての金種別収納部７３を後側へ引き出せないようにロックしている。ステップＳ３において、制御部１７は、装填対象として選定されたグループに属する全ての金種別収納部７３についてのロック機構１０８によるロックを解除することによって、当該金種別収納部７３が装着部７２から離脱することを許容する。このようなロック機構１０８を用いることにより、装着部７２からの金種別収納部７３の離脱がグループ毎に許容または禁止されてもよい。
【００９２】
開閉部７７の開閉をロックするロック機構８４と、金種別収納部７３の離脱をロックするロック機構１０８とが組み合わせて適用されてよい。この場合には、ステップＳ３において、制御部１７は、装填対象として選定されたグループに属する全ての金種別収納部７３についてのロック機構１０８によるロックを解除するとともに、このグループに対応する開閉部７７のロックを解除する。
【００９３】
ロック機構１０８は、金種別収納部７３毎に設けられてもよい。例えば、前述した変形例において、装填したい金種が指定されたうえで装填対象のグループが選定された場合には、当該グループのうち、指定された金種についての金種別収納部７３だけがロック解除される。そのため、当該グループでも、ロックされたままの他の金種別収納部７３を用いて取引を継続できる。
【００９４】
それぞれの金種別収納部７３は、装着部７２に対して着脱可能でなく、装置本体１０に固定されていてもよい。その場合、各金種別収納部７３の後部には、包装硬貨Ｋを装填するための装填口（図示せず）が形成され、各グループの金種別収納部７３の装填口は、対応する開閉部７７によって一括開閉される。または、開閉部７７は、金種別収納部７３毎に設けられ、各開閉部７７は、対応する金種別収納部７３の装填口を個別に開閉してもよい。この場合、装填対象のグループが選定された場合には、当該グループに属する全ての金種別収納部７３に対応する開閉部７７についてのロックが解除されるので、係員は、ロックが解除された開閉部７７を開いて、包装硬貨Ｋを装填口（図示せず）から各金種別収納部７３に装填することができる。なお、前述したように装填したい金種が指定されたうえで装填対象のグループが選定された場合には、当該グループのうち、指定された金種についての金種別収納部７３に対応する開閉部７７だけがロック解除されてもよい。そうすれば、当該グループでも、開閉部７７がロックされたままの他の金種別収納部７３を用いて取引を継続できる。
【００９５】
両替機２Ａにおける金種別収納部７３のグループは、前述した実施形態では、左列および右列の２つだけであったが、３つ以上存在してもよい。３つ以上のグループが存在する場合、１つだけでなく、２つ以上のグループが、包装硬貨Ｋの装填対象として選定されてもよい。
【００９６】
両替機２Ａでは、包装硬貨Ｋを用いた顧客との取引として、両替の際に包装硬貨Ｋを金種別収納部７３から出金する取引が可能であったが、例えば、包装硬貨出金口２８に投入された包装硬貨Ｋを金種別収納部７３に入金する取引が可能であってもよい。
【００９７】
また、以上では、両替機２Ａに着目して説明したが、本発明は、ＡＴＭ２Ｂや出納機２Ｃ等の他の貨幣処理装置２にも適用可能である。
【００９８】
また、以上では、貨幣の一例として、包装硬貨Ｋに着目して説明したが、本発明は、バラ硬貨の装填や、紙幣（バラ紙幣）の装填の場合にも適用可能である。その場合、紙幣処理部１４における複数の収納庫３５（図４参照）や、バラ硬貨処理部１５における複数の硬貨出金庫５５（図５参照）がグループ分けされて、紙幣処理部１４およびバラ硬貨処理部１５では、貨幣の装填対象となるグループが自動的に選定される。また、貨幣処理装置２が、所定枚数毎に帯封された包装紙幣を取り扱う場合には、本発明は、包装紙幣の装填の場合にも適用可能である。
【００９９】
包装硬貨Ｋを含む貨幣全体の在庫についての情報は、両替機２Ａだけでなく、バックヤードの出納機２Ｃや管理装置３（図１参照）に記憶されて、係員は、この情報を出納機２Ｃや管理装置３において確認できてもよい。前述したエンプティまたはニアエンプティが発生した場合には、貨幣処理システム１におけるいずれかの装置が、係員に対して補充を促すためにブザー等によって発報してもよい。また、貨幣処理システム１では、包装硬貨Ｋの装填指示を受け付ける構成と、装填指示に基いて両替機２Ａにおける装填対象のグループを選定する構成と、選定されたグループに属する金種別収納部７３への包装硬貨Ｋの装填を許容する構成とが、両替機２Ａではなく、管理装置３等の別の装置に設けられてもよい。
【符号の説明】
【０１００】
１    貨幣処理システム
２    貨幣処理装置
１０  装置本体
１７  制御部
７３  金種別収納部
７７  開閉部
８１  表示操作部
８４  ロック機構
Ｋ    包装硬貨
【図１】
2019079416.tif 000003
【図２】
2019079416.tif 000004
【図３】
2019079416.tif 000005
【図４】
2019079416.tif 000006
【図５】
2019079416.tif 000007
【図６】
2019079416.tif 000008
【図７】
2019079416.tif 000009
【図８】
2019079416.tif 000010
【図９】
2019079416.tif 000011
【図１０】
2019079416.tif 000012
【図１１】
2019079416.tif 000013
【図１２】
2019079416.tif 000014
【図１３】
2019079416.tif 000015
【図１４】
2019079416.tif 000016
【図１５】
2019079416.tif 000017
【図１６】
2019079416.tif 000018
【図１７】
2019079416.tif 000019
【図１８】
2019079416.tif 000020